(57)【要約】【課題】カメラの形状に影響を与えずに接続された外部機器との通信を遮断する。【解決手段】カメラは、第１の機器と通信する第１インターフェース１２１と、第１の機器と一部を共有する情報を第２の機器と通信する第２インターフェース１１７，１１８と、第１インターフェース１２１と第１の機器との接続の有無を検出する第１検出手段１１５と、第２インターフェース１１７，１１８と第２の機器との接続の有無を検出する第２検出手段１１５と、第１の機器および第２の機器の接続が検出された場合、第１の機器と第１インターフェース１２１との通信および第２の機器と第２インターフェース１１７，１１８との通信を遮断する制御手段１１５とを備える。【選択図】図２
2008199150.tif 000002
【特許請求の範囲】
【請求項１】
第１の機器と通信する第１インターフェースと、
前記第１の機器と一部を共有する情報を第２の機器と通信する第２インターフェースと、
前記第１インターフェースと前記第１の機器との接続の有無を検出する第１検出手段と、
前記第２インターフェースと前記第２の機器との接続の有無を検出する第２検出手段と、
前記第１の外部機器および前記第２の外部機器の接続が検出された場合、前記第１の機器と前記第１インターフェースとの通信および前記第２の機器と前記第２インターフェースとの通信を遮断する制御手段とを備えることを特徴とするカメラ。
【請求項２】
請求項１に記載のカメラにおいて、
画像および各種の情報の少なくともいずれか一方を表示する表示手段をさらに備え、
前記表示手段は、前記制御手段により前記第１の機器と前記第１インターフェースとの通信および前記第２の機器と前記第２インターフェースとの通信が遮断された場合に、エラー表示をすることを特徴とするカメラ。
【請求項３】
請求項１または２に記載のカメラにおいて、
前記制御手段は、前記第１の機器と前記第１インターフェースとの通信および前記第２の機器と前記第２インターフェースとの通信を遮断した後、いずれか一方の機器の接続を検出しなくなった場合に、前記第１インターフェースおよび第２インターフェースの通信の遮断を解除することを特徴とするカメラ。
【請求項４】
請求項１または２に記載のカメラにおいて、
前記制御手段は、前記第１の機器と前記第１インターフェースとの通信および前記第２の機器と前記第２インターフェースとの通信を遮断した後、双方の機器の接続を検出しなくなった場合に、前記第１インターフェースおよび第２インターフェースの通信の遮断を解除することを特徴とするカメラ。
【請求項５】
請求項１乃至４のいずれか一項に記載のカメラにおいて、
前記共有する情報はＡＶ信号、および双方向通信信号のいずれか一方による情報であることを特徴とするカメラ。
【請求項６】
請求項１乃至５のいずれか一項に記載のカメラにおいて、
前記第１および第２の機器のいずれか一方は少なくともプリンタを含むことを特徴とするカメラ。
【発明の詳細な説明】
【技術分野】
【０００１】
本発明は、外部機器を接続することができるカメラに関する。
【背景技術】
【０００２】
従来から、外部機器を接続するために、筐体下部や側面に複数の接続端子を備えるカメラが知られている。このカメラは、２種類の外部機器との同時通信を避けるため、一方の外部機器が接続された場合には、他方の外部機器が接続できないような物理的形状を有している（たとえば特許文献１）。
【特許文献１】特開２００２−２５２８０１号公報
【発明の開示】
【発明が解決しようとする課題】
【０００３】
しかしながら、従来技術のような形状を有すると、カメラの形状が制約されるという問題がある。
【課題を解決するための手段】
【０００４】
請求項１の発明によるカメラは、第１の機器と通信する第１インターフェースと、第１の機器と一部を共有する情報を第２の機器と通信する第２インターフェースと、第１インターフェースと第１の機器との接続の有無を検出する第１検出手段と、第２インターフェースと第２の機器との接続の有無を検出する第２検出手段と、第１の外部機器および第２の外部機器の接続が検出された場合、第１の機器と第１インターフェースとの通信および第２の機器と第２インターフェースとの通信を遮断する制御手段とを備えることを特徴とする。
請求項２の発明は、請求項１のカメラにおいて、画像および各種の情報の少なくともいずれか一方を表示する表示手段をさらに備え、表示手段は、制御手段により第１の機器と第１インターフェースとの通信および第２の機器と第２インターフェースとの通信が遮断された場合に、エラー表示をすることを特徴とする。
請求項３の発明は、請求項１または２のカメラにおいて、制御手段は、第１の機器と第１インターフェースとの通信および第２の機器と第２インターフェースとの通信を遮断した後、いずれか一方の機器の接続を検出しなくなった場合に、第１インターフェースおよび第２インターフェースの通信の遮断を解除することを特徴とする。
請求項４の発明は、請求項１または２のカメラにおいて、制御手段は、第１の機器と第１インターフェースとの通信および第２の機器と第２インターフェースとの通信を遮断した後、双方の機器の接続を検出しなくなった場合に、第１インターフェースおよび第２インターフェースの通信の遮断を解除することを特徴とする。
請求項５の発明は、請求項１乃至４のいずれか一項のカメラにおいて、共有する情報はＡＶ信号、および双方向通信信号のいずれか一方による情報であることを特徴とする。
請求項６の発明は、請求項１乃至５のいずれか一項のカメラにおいて、第１および第２の機器のいずれか一方は少なくともプリンタを含むことを特徴とする。
【発明の効果】
【０００５】
本発明によれば、カメラの形状を制約することなく、カメラから送出される通信情報の少なくとも一部を共有する複数の機器との接続を検出した場合、通信を遮断することができる。
【発明を実施するための最良の形態】
【０００６】
図面を参照して本発明の実施の形態による電子カメラについて説明する。図１は、本発明の実施の形態による電子カメラ１および電子カメラ１が接続されるプリンタ２の外観図である。
電子カメラ１の背面には、メイン液晶表示器１０１、および操作部材１０２が設けられている。操作部材１０２は、各種の設定をするためのメニュー画面をメイン液晶表示部１０１に表示するためのメニューボタン(MENU)１０２ａ、撮影モードと再生モードとを切り換えるモード切換ボタン１０２ｂ、メニュー画面に表示された各種設定の選択や再生モード時における表示画像の選択をする十字操作キー１０２ｃ、および十字操作キーで選択した設定や画像を決定するOKボタン１０２ｄなどを含む。電子カメラ１００の上面には、メインスイッチ(Power)１０４と、レリーズボタン１０５とが設けられている。また、電子カメラ１の正面には、撮影レンズ、およびフラッシュ光窓（いずれも不図示）が設けられている。
【０００７】
プリンタ２には、載置部２０１、コネクタ−Ｐ２０２、操作部材２０３、および出力部２０４が設けられている。載置部２０１にはコネクタ−Ｐ２０２が設けられ、このコネクタ−Ｐ２０２を介して、プリンタ２は載置部２０１に載置された電子カメラ１から画像データを取得するとともに、電子カメラ１に対して充電を行なう。操作部２０３は、電子カメラ１から取得した画像の印刷開始を指示するプリントボタン２０３ａ、１枚の印刷用紙に何枚の画像を印刷するかを選択するレイアウトボタン２０３ｂ、およびプリンタ２と接続されたパーソナルコンピュータなどの外部機器へ電子カメラ１から取得した画像の転送を指示する転送ボタン２０３ｃなどを含む。出力部２０４は、図１に示す状態から手前に引き出し可能に設けられ、画像が印刷された用紙を排出する。
【０００８】
図２は、図１の電子カメラ１およびプリンタ２の要部構成を説明するブロック図である。
（プリンタ）
図２において、プリンタ２は、コネクタ−Ｐ２０２、ＵＳＢ端子２０５、ＡＶ出力端子２０６、ＡＣ端子２０７、ＣＰＵ−Ｐ２０８、印刷部２０９、外部電源回路２１０、および操作部材２１１を有する。操作部材２１１は、上述したプリントボタン２０３ａ、レイアウトボタン２０３ｂ、および転送ボタン２０４ｃを含む。
【０００９】
ＣＰＵ−Ｐ２０８は、制御プログラムに基づいて、プリンタ２を構成する各部から入力される信号を用いて所定の演算を行うなどしてプリンタ２の各部に対する制御信号を送出することにより、通信動作および印刷動作の制御を行なう。なお、制御プログラムはＣＰＵ−Ｐ２０８内の不図示の不揮発性メモリに格納されている。
【００１０】
プリンタ２に電子カメラ１が載置されているとき、すなわちコネクタ−Ｐ２０２とコネクタ−Ｃ１２１とが接続されているときに、プリントボタン２０３ａから印刷開始を指示するプリント指示信号がＣＰＵ−Ｐ２０８に入力されると、ＣＰＵ−Ｐ２０８は載置された電子カメラ１に対して画像データの送信を指示するデータ送信信号を送信する。そして、データ送信信号に応じて電子カメラ１から画像データを受信すると、ＣＰＵ―Ｐ２０８は、受信した画像データと、レイアウトボタン２０３ｂの操作により設定された印刷画像枚数を示す印刷データとを後述する印刷部２０９へ出力する。
【００１１】
電子カメラ１がプリンタ２上に載置されている場合には、ＣＰＵ−Ｐ２０８の指令により、コネクタ−Ｐ２０２を介して、電子カメラ１とプリンタ２との間でデータ通信や充電電流の供給が行なわれる。コネクタ−Ｐ２０２は、電子カメラ１と制御信号を送受信するコントロールインターフェイス(Control I/F)ライン、ビデオ信号を送受信するビデオインターフェイス(VIDEO I/F)ライン、画像データ（デジタル信号）を受信するデジタルインターフェイス(Digital I/F)ライン、および充電電流を供給する電源ラインを含む、双方向通信が可能なコネクタである。
【００１２】
ＵＳＢ端子２０５は、ＣＰＵ−Ｐ２０８の指令により、ＵＳＢケーブルを介して接続されているパーソナルコンピュータなどの他の外部機器との間で双方向通信によりデータの送受を行なう。プリンタ２と電子カメラ１とが接続されている場合に、ＣＰＵ−Ｐ２０８は、ＵＳＢ端子２０５に外部機器が接続されたことを検出すると、ＵＳＢ接続信号をコネクタ−Ｐ２０２を介して電子カメラ１へ送信する。
【００１３】
ＡＶ出力端子２０６は、電子カメラ１がプリンタ２上に載置されている場合に電子カメラ１からコネクタ−Ｃ１２１を介して送信される画像信号を、テレビモニタなどに表示するためのビデオ信号として出力する。テレビモニタなどをＡＶ出力端子２０６へ接続することにより、テレビモニタに再生画像が表示される。
【００１４】
印刷部２０９は、上述したように、電子カメラ１から受信した画像データと印刷データとをＣＰＵ−Ｐ２０８から入力すると、画像データに対応する画像を設定された画像枚数で印刷用紙に印刷する。画像が印刷されると、出力部２０４（図１）から画像が印刷された印刷用紙が排出される。外部電源回路２１０は、ＡＣ／ＤＣ変換回路などで構成され、ＡＣ端子２０７に接続された電源ケーブルを介して入力される交流電圧をプリンタ２内の各部で必要な直流電圧に変換し、変換後の電圧を各ブロックへ供給する。外部電源回路２１０はさらに、電子カメラ１内のバッテリー１１９を充電するために必要な充電電流をコネクタ−Ｐ２０２を介して電子カメラ１へ供給する。なお、バッテリー１１９を充電せずに、外部電源回路２１０が直接電子カメラ１に電源を供給しても構わない。
【００１５】
（電子カメラ）
図２において、電子カメラ１はメイン液晶表示器１０１、操作部材１０２、撮影レンズ１１０、撮像素子１１１、ＡＦＥ回路１１２、タイミングジェネレータ１１３、画像処理回路１１４、ＣＰＵ−Ｃ１１５、メモリ１１６、外部インターフェース（Ｉ／Ｆ）１１７、ＡＶ出力端子１１８、バッテリー１１９、充電回路１２０、およびコネクタ−Ｃ１２１を有し、不図示のメモリカードスロット内に着脱可能なメモリカード１２２が実装されている。操作部材１２３は、上述した背面の操作部材１０２の他、上面のメインスイッチ(Power)１０４およびレリーズボタン１０５を含む。
【００１６】
ＣＰＵ−Ｃ１１５は、カメラ制御プログラムに基づいて、電子カメラ１を構成する各部から入力される信号を用いて所定の演算を行なうなどして電子カメラ１の各部に対する制御信号を送出することにより、カメラ動作の制御を行なう。なお、カメラ制御プログラムはＣＰＵ−Ｃ１１５内の不図示の不揮発性メモリに格納されている。また、ＣＰＵ−Ｃ１１５は、操作部材１２３からの操作信号を所定の時間入力しない場合は、電子カメラ１の電源をオフする。
【００１７】
メモリ１１６はＣＰＵ−Ｃ１１５の作業用メモリとして使用される。メモリカード１２２はフラッシュメモリなどの不揮発性メモリによって構成され、ＣＰＵ−Ｃ１１５の指令によりデータの書き込み、保存および読み出しが可能である。
【００１８】
外部インターフェース（Ｉ／Ｆ）１１７は、ＣＰＵ−Ｃ１１５の指令により、たとえばＵＳＢインターフェイスケーブル（不図示）を介して接続される他の外部機器（たとえば、パーソナルコンピュータ）との間で、双方向通信によるデータの送受を行なう。
【００１９】
ＡＶ出力端子１１８は、ＣＰＵ−Ｃ１１５の指令により、ＡＶケーブル（不図示）などを介して接続されたテレビモニタなどに表示するためのビデオ信号を出力する。その結果、テレビモニタなどをＡＶ出力端子１１８へ接続することにより、テレビモニタに再生画像が表示される。
【００２０】
メイン液晶表示器１０１は、ＣＰＵ−Ｃ１１５の指令により画像やテキストなどの情報を表示する。テキスト情報は、電子カメラ１の動作状態、操作メニューの内容などである。
【００２１】
バッテリー１１９は充電池により構成され、電子カメラ１内の各部に必要な電力を供給する。充電回路１２０は、コネクタ−Ｃ１２１を介してプリンタ２から供給される充電電流によりバッテリー１１９を充電する。
【００２２】
コネクタ−Ｃ１２１は、電子カメラ１がプリンタ２上に載置されている場合に、プリンタ２のコネクタ−Ｐ２０２と接続される。そして、コネクタ−Ｃ１２１を介して、プリンタ２と電子カメラ１との間でデータ通信や充電電流の受電が行なわれる。コネクタ−Ｃ１２１は、制御信号を送受信するコントロールインターフェイス(Control I/F)ライン、ビデオ信号を送受するビデオインターフェイス(VIDEO I/F)ライン、および画像データを送信するデジタルインターフェイス(Digital I/F)ラインと、充電電流が供給される電源ラインとを含む、双方向通信可能なコネクタである。
【００２３】
撮影レンズ１１０を通過した被写体光は撮像素子１１１へ導かれ、その撮像面上に被写体像が結像する。撮像素子１１１は、受光した被写体光をその強度に応じた画像信号に変換するＣＣＤやＣＭＯＳなどの光電変換素子である。ＡＦＥ回路１１２は、撮像素子１１１の出力する画像信号にアナログ的な処理をしてからデジタルの画像データに変換する回路である。タイミングジェネレータ１１３は、ＣＰＵ−Ｃ１１５の命令に応じて、撮像素子１１１とＡＦＥ回路１１２とにタイミング信号を出力し、撮像素子１１１とＡＦＥ回路１１２との駆動タイミングを制御する回路である。
【００２４】
画像処理回路１１４は、ＡＳＩＣなどにより構成される。画像処理回路１１４は、画像データに対して、ホワイトバランス処理、ガンマ補正処理、色補間処理、輪郭強調、ビネット補正などの画像処理を実行する。上記画像処理が施された画像データはＣＰＵ−Ｃ１１５へ送出される。ＣＰＵ−Ｃ１１５に入力された画像データは、メモリカード１２２に記録されたり、コネクタ−Ｃ１２１を介してプリンタ２へ送信される。また、ＣＰＵ−Ｃ１１５は、画像データから生成された表示用画像を、メイン液晶表示器２０１に表示する。
【００２５】
次に、図３を用いて、電子カメラ１が種々の外部機器と接続された場合の電子カメラ１の動作について説明する。なお、図３は電子カメラ１と各種の外部機器との接続関係を説明する図である。
１．プリンタ２に接続
図３（ａ）に示すように、電子カメラ１がプリンタ２と接続された場合を説明する。なお、この場合、プリンタ２にパーソナルコンピュータやテレビなどの外部機器は接続されていないものとする。電子カメラ１がプリンタ２の載置部２０１に載置されると、電子カメラ１のコネクタ−Ｃ１２１とプリンタ２のコネクタ−Ｐ２０２とが直接接続される。ＣＰＵ−Ｃ１１５は、たとえば所定時間ごとにコネクタ−Ｃ１２１の所定の信号レベルを検出し、この検出値に基づいてプリンタ２との接続を判定する。なお、電子カメラ１はプリンタ２から電源が供給されることを検知して接続判定しても構わない。
【００２６】
プリンタ２との接続が検出されると、ＣＰＵ−Ｃ１１５はプリンタ２との通信を確立するための信号を、コネクタ−Ｃ１２１を介してプリンタ２に対して送信する。この信号に対する応答信号をプリンタ２から受信すると、ＣＰＵ−Ｃ１１５はプリンタ２とデータの送受信を開始する。
【００２７】
電子カメラ１の動作が再生モードに設定されると、ＣＰＵ−Ｃ１１５はメモリカード１２２に記録された画像データに基づいて作成した表示用画像をメイン液晶表示器１０１に表示する。このとき、プリンタ２のプリントボタン２０３ｂが操作され、電子カメラ１がデータ送信信号をプリンタ２から受信すると、ＣＰＵ−Ｃ１１５は、表示用画像に対応する画像データをコネクタ−Ｃ１２１を介してプリンタ２へ送信する。そして、上述したように、プリンタ２により画像が印刷される。
【００２８】
電子カメラ１の電源がオフに設定されている場合は、コネクタ−Ｃ１２１を介してプリンタ２から充電電流が供給されて、上述したようにバッテリー１１９が充電される。
【００２９】
１−１．パーソナルコンピュータ接続
上述したように電子カメラ１がプリンタ２に接続されている状態で、電子カメラ１にパーソナルコンピュータ３が接続された場合について説明する。図３（ｂ）に、この場合の接続関係を示す。
ＣＰＵ−Ｃ１１５は、外部インターフェース（Ｉ／Ｆ）１１７を介してＵＳＢケーブルなどにより電子カメラ１とパーソナルコンピュータ３とが接続されたことを検出すると、電子カメラ１とプリンタ２およびパーソナルコンピュータ３との通信を停止する。すなわち、外部インターフェース１１７およびコネクタ−Ｃ１２１から各種の信号が外部機器へ送信されないように、外部インターフェース１１７と接続しているＵＳＢケーブルやコネクタ−Ｃ１２１のＵＳＢ通信用の信号線の電流を遮断する。その結果、各種の信号やデータなどがＵＳＢケーブルやコネクタ−Ｃ１２１から出力されず、外部機器へ送信するために出力された信号が遮断される。
【００３０】
上述したように、電子カメラ１とプリンタ２、および電子カメラ１とパーソナルコンピュータ３がそれぞれＵＳＢ接続された場合は、ＵＳＢ通信が２系統となる。しかし、電子カメラ１が２系統のＵＳＢ通信に対応していないため、ＣＰＵ−Ｃ１１５は両者との通信を停止する。
【００３１】
外部機器との通信を遮断すると、ＣＰＵ−Ｐ１１５は、メイン液晶表示器１０１にたとえば「インターフェースエラー」などのエラーメッセージを表示する。このエラーメッセージの表示は、ＣＰＵ−Ｃ１１５により、後述する接続状態に変化するまで継続される。
【００３２】
１−１−１．パーソナルコンピュータ取り外し後にプリンタ取り外し
上述したように、メイン液晶表示器１０１にエラーメッセージが表示されている、すなわち図３（ｂ）に示すプリンタ２とパーソナルコンピュータ３の双方が電子カメラ１に接続された状態から、パーソナルコンピュータ３が取り外された場合について次に説明する。ＣＰＵ−Ｃ１１５は、パーソナルコンピュータ３が取り外され、外部インターフェース１１７を介してパーソナルコンピュータ３の接続を検出しない場合、メイン液晶表示器１０１のエラーメッセージ表示を継続する。すなわち、電子カメラ１がプリンタ２のみと接続された状態に戻っても、ＣＰＵ−Ｃ１１５はプリンタ２との通信を再開しない。
【００３３】
電子カメラ１からパーソナルコンピュータ３が取り外され、プリンタ２のみが接続されている状態から、さらにプリンタ２が取り外されたとする。ＣＰＵ−Ｃ１１５は、コネクタ−Ｃ１２１からの信号に基づいてプリンタ２の接続を検出しなくなると、メイン液晶表示器１０１へのエラーメッセージの表示を停止する。さらに、電子カメラ１が通常の動作が可能となるように、ＣＰＵ−Ｃ１１５は通信の遮断を解除して各部の機能を復帰させる。なお、電子カメラ１の電源をオフにしても構わない。
【００３４】
１−１−２．プリンタ取り外し
図３（ｂ）に示すようにプリンタ２とパーソナルコンピュータ３の双方が電子カメラ１に接続され、メイン液晶表示器１０１にエラーメッセージが表示されている状態から、プリンタ２が取り外された場合について次に説明する。ＣＰＵ−Ｃ１１５は、プリンタ２が取り外され、コネクタ−Ｃ１２１からの検出値に基づいてプリンタ２の接続を検出しない場合、メイン液晶表示器１０１のエラーメッセージの表示を終了し、電子カメラ１の電源をオフに設定する。
【００３５】
１−２．テレビモニタ接続
図３（ａ）に示す電子カメラ１がプリンタ２に接続されている状態で、図３（ｃ）に示すように、さらにテレビモニタ４が電子カメラ１に接続された場合を説明する。ＣＰＵ−Ｃ１１５は、ＡＶ出力端子１１８を介してテレビモニタ４が接続されたことを検出すると、前述したように、ＡＶケーブル（不図示）などを介して接続されたテレビモニタ４に表示するためのビデオ信号を出力する。すなわち、プリンタ２とのＵＳＢ通信とテレビモニタ４とのＡＶ接続が同時に行なわれた場合は、ＣＰＵ−Ｃ１１５は前述したような出力信号の遮断を行なわない。
【００３６】
２．テレビモニタが接続されているプリンタへの接続
テレビモニタ５が接続されているプリンタ２へ電子カメラ１を接続する場合について説明する。ＣＰＵ−Ｃ１１５は、上述したように、プリンタ２との通信を確立した後に、コネクタ−Ｃ１２１を介して、プリンタ２からＡＶ機器を接続した信号を受信し、プリンタ２とテレビモニタ５とが接続されていることを検出する。そして、ＣＰＵ−Ｃ１１５は、ビデオ信号をコネクタ−Ｃ１２１のビデオインターフェースラインを介してテレビモニタ５へ送信する。すなわち、電子カメラ１からのビデオ信号はプリンタ２を介してテレビモニタ５に受信され、対応する画像がテレビモニタ５に再生表示される。
【００３７】
２−１．パーソナルコンピュータ接続
さらに電子カメラ１にパーソナルコンピュータ３が接続された場合について説明する。図３（ｄ）には、この場合の接続関係を示す。ＣＰＵ−Ｃ１１５は、外部インターフェース（Ｉ／Ｆ）１１７を介してＵＳＢケーブルなどにより電子カメラ１とパーソナルコンピュータ３とが接続されたことを検出する、すなわちＵＳＢ通信をする信号線が２系統になると、前述と同様の方法を用いて、プリンタ２およびパーソナルコンピュータ３とのＵＳＢ通信を停止する。さらに、ＣＰＵ−Ｃ１１５はエラーメッセージを表示をコネクタ−Ｃ１２１のビデオインターフェースラインを介してテレビモニタ５に出力する。その結果、テレビモニタ５には「インターフェースエラー」などのエラーメッセージが表示される。すなわち、パーソナルコンピュータ３が接続される以前に、電子カメラ１と通信していたテレビモニタ５にエラーメッセージを表示する。なお、テレビモニタ５への出力を切断し、電子カメラ１のメイン液晶表示器１０１に「インターフェースエラー」などのエラーメッセージを表示してもよい。
【００３８】
この場合も、電子カメラ１とプリンタ２、および電子カメラ１とパーソナルコンピュータ３がそれぞれＵＳＢ接続されているが、電子カメラ１が２系統のＵＳＢ通信に対応していないため、ＣＰＵ−Ｃ１１５は両者との通信を停止する。
【００３９】
２−１−１．パーソナルコンピュータ取り外し後、プリンタ取り外し
上述したように、テレビモニタ５にエラーメッセージが表示されている、すなわち図３（ｄ）に示すようにプリンタ２とパーソナルコンピュータ３の双方が電子カメラ１に接続された状態から、パーソナルコンピュータ３が取り外された場合について説明する。ＣＰＵ−Ｃ１１５は、パーソナルコンピュータ３が取り外され、外部インターフェース１１７を介してパーソナルコンピュータ３の接続を検出しない場合であっても、プリンタ２とのＵＳＢ通信を再開しない。したがって、テレビモニタ５にはエラーメッセージの表示が継続される。なお、テレビモニタ５への出力を遮断し、電子カメラ１のメイン液晶表示器１０１にエラーメッセージを表示している場合には、電子カメラ１にエラーメッセージの表示を継続させればよい。
【００４０】
電子カメラ１からパーソナルコンピュータ３が取り外され、プリンタ２のみが接続されている状態から、さらにプリンタ２が取り外された場合、すなわち電子カメラ２にいずれの外部機器も接続されない状態に戻った場合、ＣＰＵ−Ｃ１１５は電子カメラ１の動作を通常の動作が可能なように各部の機能を復帰させる。なお、電子カメラ１の電源をオフしても構わない。
【００４１】
２−１−２．プリンタ取り外し
図３（ｄ）に示すような接続関係の状態から、プリンタ２が取り外された場合について説明する。ＣＰＵ−Ｃ１１５は、プリンタ２が取り外され、コネクタ−Ｃ１２１からの検出値に基づいてプリンタ２の接続を検出しない場合、電子カメラ１の電源をオフに設定する。
【００４２】
２−２．テレビモニタ接続
電子カメラ１がテレビモニタ５に接続されたプリンタ２に接続された状態で、さらに電子カメラ１にテレビモニタ４が接続された場合について説明する。この場合は図３（ｅ）に示すような接続関係になる。ＣＰＵ−Ｃ１１５は、ＡＶ出力端子１１８を介してテレビモニタ４が接続されたことを検出すると、プリンタ２を介したテレビモニタ５へのビデオ信号の出力と、テレビモニタ４へのビデオ信号の出力の双方を遮断する。ビデオ信号の出力の遮断は、前述と同様の方法を用いて、ＡＶケーブルへの電流を遮断することにより行なわれる。
【００４３】
この場合は、電子カメラ１とプリンタ２とはＵＳＢ接続とＡＶ接続された状態であり、電子カメラ１とテレビモニタ４とはＡＶ接続された状態である。電子カメラ１からコネクタ−Ｃ１２１を介して出力される信号と、ＡＶ出力端子１１８から出力される信号は、共にビデオ信号を含んでいる。すなわち、電子カメラ１からビデオ信号がダブルターミネート状態となり、電子カメラ１からのビデオ信号の出力が不安定になる。その結果、テレビモニタ４および５に表示される再生画像の画質が劣化する、もしくは再生画像が表示されないこともありうる。このような事態を防ぐために、ＣＰＵ−Ｃ１１５はビデオ信号の出力を遮断して、両者との共通情報の通信を遮断する。
【００４４】
ＣＰＵ−Ｃ１１５は、ビデオ信号の出力を遮断すると、メイン液晶表示器１０１へ上述した「インターフェースエラー」などのエラーメッセージを表示する。このエラーメッセージの表示は、ＣＰＵ−Ｃ１１５により、後述する接続状態に変化するまで継続される。
【００４５】
２−２−１．テレビモニタ取り外し後、プリンタ取り外し
上述したように、メイン液晶表示器１０１にエラーメッセージが表示されている、すなわち図３（ｅ）に示すテレビモニタ５が接続されたプリンタ２とテレビモニタ４の双方が電子カメラ１に接続された状態から、テレビモニタ４が取り外された場合について説明する。ＣＰＵ−Ｃ１１５は、テレビモニタ４が取り外され、ＡＶ出力端子１１８を介してテレビモニタ４の接続を検出しない場合、メイン液晶表示器１０１のエラーメッセージ表示を継続する。すなわち、電子カメラ１がプリンタ２のみと接続された状態に戻っても、ＣＰＵ−Ｃ１１５はプリンタ２との通信を再開しない。
【００４６】
電子カメラ１からテレビモニタ４が取り外され、テレビモニタ５が接続されたプリンタ２のみが電子カメラ１に接続されている状態から、さらにプリンタ２が取り外されたとする。コネクタ−Ｃ１２１からの信号に基づいてプリンタ２の接続が検出されなくなると、ＣＰＵ−Ｃ１１５はメイン液晶表示器１０１へのエラーメッセージの表示を停止し、電子カメラ１が通常動作が可能となるように各部の機能を復帰させる。なお、エラーメッセージの表示を継続させても構わない。
【００４７】
２−２−２．プリンタ取り外し
テレビモニタ４と、テレビモニタ５が接続されたプリンタ２の双方が電子カメラ１に接続され、メイン液晶表示器１０１にエラーメッセージが表示されている状態から、プリンタ２が取り外された場合について説明する。ＣＰＵ−Ｃ１１５は、プリンタ２が取り外され、コネクタ−Ｃ１２１からの検出値に基づいてプリンタ２の接続を検出しない場合、メイン液晶表示器１０１のエラーメッセージの表示を終了し、電子カメラ１の電源をオフに設定する。
【００４８】
３．パーソナルコンピュータ接続
電子カメラ１がパーソナルコンピュータ３と接続された場合について説明する。ＣＰＵ−Ｃ１１５は、上述したように外部インターフェース（Ｉ／Ｆ）１１７を介してパーソナルコンピュータ３がＵＳＢケーブル（不図示）などにより接続されたことを検出すると、パーソナルコンピュータ３との通信を確立する。そして、ＣＰＵ−Ｃ１１５は、ＵＳＢ接続されたパーソナルコンピュータ３と各種の信号や画像データの送受信を行なう。
【００４９】
３−１．プリンタ接続
電子カメラ１とパーソナルコンピュータ３が接続されている状態で、さらに電子カメラ１にプリンタ２が接続された場合は、図３（ｂ）と同様な接続関係になる。したがって、この場合は、ＣＰＵ−Ｃ１１５は、上述の説明と同様にして、プリンタ２とパーソナルコンピュータ３との通信を停止するとともに、メイン液晶表示器１０１へエラーメッセージの表示をする。なお、プリンタ２が取り外された場合は電子カメラ１の電源をオフにし、パーソナルコンピュータ３が取り外された場合はエラーメッセージの表示を継続し、双方が取り外された場合は、電子カメラ１の機能を復帰させる点についても同様である。なお、電子カメラ１の機能を復帰させずに、電源をオフにしても構わない。
【００５０】
３−１−１．テレビモニタが接続されたプリンタ接続
上述のように電子カメラ１とパーソナルコンピュータ３が接続されている状態で、さらに、テレビモニタ５が接続されたプリンタ２が電子カメラ１に接続された場合は、図３（ｄ）と同様な接続関係になる。したがって、この場合も、ＣＰＵ−Ｃ１１５は、上述の説明と同様にして、プリンタ２とパーソナルコンピュータ３との通信を停止するとともに、メイン液晶表示器１０１へエラーメッセージの表示をする。なお、プリンタ２が取り外された場合は電子カメラ１の電源をオフにし、パーソナルコンピュータ３が取り外された場合はエラーメッセージの表示を継続し、双方が取り外された場合は、電子カメラ１の機能を復帰させる点についても同様である。なお、電子カメラ１の機能を復帰させずに、電源をオフにしても構わない。
【００５１】
４．テレビモニタ接続
電子カメラ１がテレビモニタ４と接続された場合について説明する。ＣＰＵ−Ｃ１１５は、上述したようにＡＶ出力端子１１８を介してテレビモニタ４がＡＶケーブル（不図示）などにより接続されたことを検出すると、前述したように、テレビモニタ４に表示するためのビデオ信号を出力する。
【００５２】
４−１．プリンタ接続
電子カメラ１とテレビモニタ４が接続されている状態で、さらに電子カメラ１にプリンタ２が接続された場合は、図３（ｃ）と同様な接続関係になる。したがって、ＣＰＵ−Ｃ１１５は、上述と同様にして、ＡＶケーブル（不図示）などを介して接続されたテレビモニタ４に表示するためのビデオ信号を出力する。すなわち、ＵＳＢ通信とＡＶ接続が同時に行なわれた場合は、ＣＰＵ−Ｃ１１５は前述したような出力信号の遮断を行なわない。
【００５３】
４−２．テレビモニタが接続されたプリンタ接続
電子カメラ１とテレビモニタ４が接続されている状態で、さらにテレビモニタ５が接続されたプリンタ２が電子カメラ１に接続された場合は、図３（ｅ）と同様な接続関係になる。したがって、この場合は、ＣＰＵ−Ｃ１１５は、上述の説明と同様にして、プリンタ２を介したテレビモニタ５へのビデオ信号、およびテレビモニタ４へのビデオ信号の出力を遮断するとともに、メイン液晶表示器１０１へエラーメッセージを表示する。なお、プリンタ２が取り外された場合は電子カメラ１の電源をオフにし、パーソナルコンピュータ３が取り外された場合はエラーメッセージの表示を継続し、双方が取り外された場合は、電子カメラ１の機能を復帰させる点についても同様である。なお、電子カメラ１の機能を復帰させずに、電源をオフにしても構わない。
【００５４】
図４〜６に示すフローチャートを用いて、実施の形態による電子カメラ１の動作について説明する。図４〜６の各処理手順はＣＰＵ−Ｃ１１５でプログラムを実行して行なわれる。図４〜６の各処理を行なうプログラムはメモリ（不図示）に格納されており、メインスイッチ１０４からオン信号が入力されると起動される。
図４のステップＳ１０１において、外部インターフェース（Ｉ／Ｆ）１１７、ＡＶ出力端子１１８およびコネクタ−Ｃ１２１のいずれからの信号に基づいて、外部機器が接続されたか否かを判定する。外部機器が接続された場合は、ステップＳ１０１が肯定判定されてステップＳ１０２へ進む。外部機器が接続されていない場合は、ステップＳ１０１の処理を繰り返す。
【００５５】
ステップＳ１０２においては、接続された外部機器がプリンタ２であるか否かを判定する。コネクタ−Ｃ１２１からプリンタ２の接続を検出する信号を入力した場合は、ステップＳ１０２が肯定判定されてステップＳ１０３へ進む。コネクタ−Ｃ１２１から検出信号を入力しない場合は、ステップＳ１０２が否定判定されて、後述する図６のステップＳ３０１へ進む。
【００５６】
ステップＳ１０３においては、コネクタ−Ｃ１２１を介してプリンタ２とのＵＳＢ通信を確立してステップＳ１０４へ進む。ステップＳ１０４においては、プリンタ２にテレビモニタ５が接続されているか否かを判定する。プリンタ２からＡＶ機器と接続した信号を受信した場合、すなわちプリンタ２にテレビモニタ５が接続されている場合は、ステップＳ１０４が肯定判定されて図５のステップＳ２０１へ進む。プリンタ２からＡＶ機器と接続した信号を受信しない場合は、ステップＳ１０４が否定判定されてステップＳ１０５へ進む。
【００５７】
ステップＳ１０５においては、コネクタ−Ｃ１２１を介してプリンタ２との各種の信号の送受信を行なってステップＳ１０６へ進む。ステップＳ１０６においては、電源がオフされたか否かを判定する。メインスイッチ１０４から電源オフ信号を入力した場合は、ステップＳ１０６が肯定判定されて、電源をオフして一連の処理を終了する。メインスイッチ１０４から電源オフ信号を入力しない場合は、ステップＳ１０６が否定判定されてステップＳ１０７へ進む。
【００５８】
ステップＳ１０７においては、パーソナルコンピュータ３またはテレビモニタ４が接続されたか否かを判定する。外部インターフェース（Ｉ／Ｆ）１１７またはＡＶ出力端子１１８からの信号に基づいて、パーソナルコンピュータ３またはテレビモニタ４が接続されたことを検出した場合は、ステップＳ１０７が肯定判定されてステップＳ１０８へ進む。パーソナルコンピュータ３またはテレビモニタ４が接続されたことを検出しない場合は、ステップＳ１０７が否定判定されてステップＳ１０４へ戻る。
【００５９】
ステップＳ１０８においては、ステップＳ１０７で接続を検出した外部機器がパーソナルコンピュータ３であるか否かを判定する。外部インターフェース（Ｉ／Ｆ）１１７からの信号に基づいて、パーソナルコンピュータ３の接続が検出された場合は、ステップＳ１０８が肯定判定されてステップＳ１０９へ進む。ステップＳ１０９においては、外部インターフェース（Ｉ／Ｆ）１１７およびコネクタ−Ｃ１２１から送信される出力信号を遮断してステップＳ１１０へ進む。ステップＳ１１０においては、メイン液晶表示器１０１にエラーメッセージを表示してステップＳ１１１へ進む。
【００６０】
ステップＳ１１１においては、プリンタ２が取り外されたか否かを判定する。コネクタ−Ｃ１２１から検出信号を入力しない場合、すなわちプリンタ２が取り外された場合は、ステップＳ１１１が肯定判定されてステップＳ１１２へ進む。コネクタ−Ｃ１２１から検出信号を入力する場合、すなわちプリンタ２が接続されたままの状態の場合は、ステップＳ１１１が否定判定されてステップＳ１０９へ戻る。
【００６１】
ステップＳ１１２においては、パーソナルコンピュータ３が取り外されているか否かを判定する。外部インターフェース（Ｉ／Ｆ）１１７からの信号に基づいて、パーソナルコンピュータ３の接続が検出されない場合、すなわちパーソナルコンピュータ３が取り外されている場合、ステップＳ１１２が肯定判定されてステップＳ１１３へ進む。ステップＳ１１３においては、ステップＳ１１０で表示したエラーメッセージの表示を終了してステップＳ１０１へ戻る。
【００６２】
外部インターフェース（Ｉ／Ｆ）１１７からの信号に基づいて、パーソナルコンピュータ３の接続が検出された場合、すなわちパーソナルコンピュータ３が接続されたままの状態の場合、ステップＳ１１２が否定判定されてステップＳ１１７へ進む。ステップＳ１１７においては、電源をオフにして一連の処理を終了する。なお、ステップＳ１１１においてプリンタ２が取り外されたことを判定した場合に、ステップＳ１１２へ進まず、ステップＳ１１７へ進んで、電源をオフにしてもよい。この場合には、ステップＳ１１２およびステップＳ１１３における処理を行なわない。
【００６３】
一方、ステップＳ１０８において、ＡＶ出力端子１１８からの信号に基づいてテレビモニタ４の接続を検出した場合は、ステップＳ１０８が否定判定されてステップＳ１１４へ進む。ステップＳ１１４においては、ＡＶ出力端子１１８を介してテレビモニタ４へビデオ信号を出力してステップＳ１１５へ進む。なお、テレビモニタ４にビデオ信号を出力した状態でプリンタ２とデータの送受信をすることができる。
【００６４】
ステップＳ１１５においては、テレビモニタ４が取り外されたか否かを判定する。ＡＶ出力端子１１８からの信号に基づいてテレビモニタ４の接続を検出した場合、すなわちテレビモニタ４が接続されたままの状態の場合は、ステップＳ１１５が否定判定されてステップＳ１０４へ戻る。ＡＶ出力端子１１８からの信号に基づいてテレビモニタ４の接続を検出しない場合、すなわちテレビモニタ４が取り外された場合は、ステップＳ１１５が肯定判定されてステップＳ１１６へ進む。
【００６５】
ステップＳ１１６においては、ステップＳ１０６と同様に、電源がオフされたか否かを判定する。メインスイッチ１０４から電源オフ信号を入力した場合は、ステップＳ１１６が肯定判定されてステップＳ１１７へ進み、電源をオフして一連の処理を終了する。メインスイッチ１０４から電源オフ信号を入力しない場合は、ステップＳ１１６が否定判定されてステップＳ１０４へ戻る。
【００６６】
次に、図５のフローチャートを用いて、ステップＳ１０４が肯定判定されて進んだステップＳ２０１以降の処理について説明する。ステップＳ２０１においては、プリンタ２を介してテレビモニタ５にビデオ信号を出力してステップＳ２０２へ進む。ステップＳ２０２（電源オフ判定）からステップＳ２０４（接続機器判定）までの各処理は、図４のステップＳ１０６（電源オフ判定）からステップＳ１０８（接続機器判定）までの各処理と同様の処理を行なう。なお、電子カメラ１にエラーメッセージを表示しても構わない。
【００６７】
ステップＳ２０４が肯定判定されて進んだステップＳ２０５においては、図４のステップＳ１０９と同様に出力信号を遮断してステップＳ２０６へ進む。ステップＳ２０６においては、プリンタ２を介してエラーメッセージをテレビモニタ５に出力してステップＳ２０７へ進む。なお、電子カメラ１にエラーメッセージを表示してもよい。ステップＳ２０７（プリンタ取り外し判定）からステップＳ２０９（エラーメッセージ表示終了）までの各処理は、図４のステップＳ１１１（プリンタ取り外し判定）からステップＳ１１３（エラーメッセージ表示終了）までの各処理と同様の処理を行なう。
【００６８】
ステップＳ２０４が否定判定されて進んだステップＳ２１１においては、ビデオ信号の出力を遮断してステップＳ２１２へ進む。ステップＳ２１２（エラーメッセージ表示）およびステップＳ２１３（プリンタ取り外し判定）の各処理は、図４のステップＳ１１０（エラーメッセージ表示）およびステップＳ１１１（プリンタ取り外し判定）の各処理と同様の処理を行なう。
【００６９】
ステップＳ２１４においては、テレビモニタ４が取り外されたか否かを判定する。テレビモニタ４の接続を検出しない場合、すなわちテレビモニタ４が取り外された場合は、ステップＳ２１４が肯定判定されてステップＳ２１５へ進み、エラーメッセージの表示を終了して、図４のステップＳ１０１へ戻る。テレビモニタ４の接続を検出した場合は、ステップＳ２１４が否定判定されてステップＳ２１０へ進み、電源をオフして一連の処理を終了する。なお、ステップＳ２０７またはステップＳ２１３において肯定判定されたときに、ステップＳ２１０へ進んで電源をオフにしてもよい。この場合は、ステップＳ２０８およびステップＳ２０９、またはステップＳ２１４およびステップＳ２１５における処理は行なわない。
【００７０】
ステップＳ１０２が否定判定されて進んだ図６のステップＳ３０１においては、接続された外部機器がパーソナルコンピュータ３であるか否かを判定する。外部インターフェース（Ｉ／Ｆ）１１７からの信号に基づいて、パーソナルコンピュータ３の接続が検出された場合は、ステップＳ３０１が肯定判定されてステップＳ３０２へ進む。
【００７１】
ステップＳ３０２においては、外部インターフェース（Ｉ／Ｆ）１１７を介してパーソナルコンピュータ３とのＵＳＢ通信を確立してステップＳ３０３へ進む。ステップＳ３０３においては、外部インターフェース（Ｉ／Ｆ）１１７を介してパーソナルコンピュータ３と各種のデータを送受信してステップＳ３０４へ進む。ステップＳ３０４においては、電源がオフされたか否かを判定する。メインスイッチ１０４から電源オフ信号を入力した場合は、ステップＳ３０４が肯定判定されてステップＳ３１１へ進み、電源をオフして一連の処理を終了する。メインスイッチ１０４から電源オフ信号を入力しない場合は、ステップＳ３０４が否定判定されてステップＳ３０５へ進む。
【００７２】
ステップＳ３０５においては、プリンタ２が接続されたか否かを判定する。コネクタ−Ｃ１２１から検出信号を入力した場合は、ステップＳ３０５が肯定判定されてステップＳ３０６へ進む。コネクタ−Ｃ１２１から検出信号を入力しない場合は、ステップＳ３０５が否定判定されてステップＳ３０３へ戻る。
【００７３】
ステップＳ３０６（出力信号遮断）からステップＳ３１０（エラーメッセージ表示終了）までの各処理は、図４のステップＳ１０９（出力信号遮断）からステップＳ１１３（エラーメッセージ表示終了）までの各処理と同様の処理を行なう。なお、プリンタ取り外し時に電子カメラ１の電源をオフにしてもよい。すなわち、ステップＳ３０８において肯定判定されたときに、ステップＳ３１１へ進んで電源をオフにしてもよい。この場合は、ステップＳ３０９およびステップＳ３１０における処理は行なわない。
【００７４】
一方、ステップＳ３０１において、ＡＶ出力端子１１８からの信号に基づいてテレビモニタ４の接続を検出した場合、ステップＳ３０１が否定判定されてステップＳ３１２へ進む。ステップＳ３１２においては、ＡＶ出力端子１１８を介してテレビモニタ４にビデオ信号を出力してステップＳ３１３へ進む。ステップＳ３１３においては、ステップＳ３０４と同様に電源がオフされたか否かを判定する。メインスイッチ１０４から電源オフ信号を入力した場合は、ステップＳ３１３が肯定判定されてステップＳ３１１へ進み、電源をオフして一連の処理を終了し、電源オフ信号を入力しない場合は、ステップＳ３１３が否定判定されてステップＳ３１４へ進む。
【００７５】
ステップＳ３１４においては、プリンタ２が接続されたか否かを判定する。コネクタ−Ｃ１２１から検出信号を入力した場合は、ステップＳ３１４が肯定判定されてステップＳ３１５へ進む。検出信号を入力しない場合は、ステップＳ３１４が否定判定されてステップＳ３１２へ戻る。
【００７６】
ステップＳ３１５においては、プリンタ２にテレビモニタ５が接続されているか否かを判定する。プリンタ２からＡＶ接続信号を入力した場合は、ステップＳ３１５が肯定判定されてステップＳ３１６へ進む。ＡＶ接続信号を入力しない場合は、ステップＳ３１５が否定判定されてステップＳ３１２へ戻る。ステップＳ３１６（出力信号遮断）からステップＳ３２０（エラーメッセージ表示終了）までの各処理は、図５のステップＳ２１１（出力信号遮断）からステップＳ２１５（エラーメッセージ表示終了）までの各処理と同様の処理を行なう。なお、プリンタ取り外し時に電子カメラ１の電源をオフにしてもよい。すなわち、ステップＳ３１８において肯定判定されたときに、ステップＳ３１１へ進んで電源をオフにしてもよい。この場合は、ステップＳ３１９およびステップＳ３２０における処理は行なわない。
【００７７】
以上で説明した実施の形態のカメラによれば、以下の作用効果が得られる。
（１）ＣＰＵ−Ｃ１１５は、プリンタ２（ＵＳＢ通信）とパーソナルコンピュータ３（ＵＳＢ通信）の双方の接続を検出した場合や、テレビモニタ５が接続されたプリンタ２（ビデオ信号）とテレビモニタ４（ビデオ信号）の双方の接続を検出した場合などのように、通信される情報の少なくとも一部が共通する共通情報の場合、接続された外部機器へ出力する信号を遮断するようにした。外部機器が接続されＵＳＢ通信を行なう信号線が複数になった場合は、回路の規模を大きくしないために、電子カメラ１が２系統のＵＳＢ通信に対応していないので、ＣＰＵ−Ｃ１１５は出力信号を遮断する。また、外部機器が接続されビデオ信号が２系統に出力される場合は、ビデオ信号が不安定になり、再生画像の画質が劣化するのでＣＰＵ−Ｃ１１５は出力信号を遮断する。したがって、電子カメラ１は異なる複数の外部機器が接続可能な形状であってもＣＰＵ−Ｃ１１５が通信を行なわないので、外部機器との接続端子の配置に関する制約が低減され、電子カメラ１の形状の自由度を増すことができる。
【００７８】
さらに、電子カメラ１と２種類の外部機器との接続検出および通信の遮断は、ＣＰＵ−Ｃ１１５によりソフトウェアで実行されるので、外部機器との通信を切り換えたり、いずれかを優先させるための回路などを増設する必要がない。したがって、電子カメラ１の大型化、および製造コストの増加を抑制することができる。
【００７９】
（２）ＣＰＵ−Ｃ１１５は、外部機器との通信を遮断した場合は、メイン液晶表示器１０１にインターフェースエラーが発生していることを示すメッセージを表示するようにした。したがって、ユーザは電子カメラ１と外部機器との接続に問題があることを把握できるので利便性がよくなる。
【００８０】
（３）電子カメラ１が接続された２種類の外部機器との通信を遮断している状態で、２種類の外部機器が取り外された場合、すなわちＣＰＵ−Ｃ１１５が２種類の外部機器の接続を検出しなくなった場合に、上記遮断を解除し、外部機器と通信可能となるように機能を復帰させるようにした。したがって、特別な機能復帰のための操作を必要とせず、接続された外部機器をすべて取り外すことにより電子カメラ１の機能が正常に戻るので、利便性がよくなる。
【００８１】
以上で説明した実施の形態を以下のように変形できる。
（１）電子カメラ１に接続された２種類の外部機器の双方が取り外された場合に、ＣＰＵ−Ｃ１１５は電子カメラ１の機能を復帰させるものに代えて、２種類の外部機器のいずれか一方の外部機器が取り外され、接続を検出しなくなった場合に、通信の遮断を解除して外部機器と通信可能となるように電子カメラ１の機能を復帰させてもよい。
【００８２】
（２）ＣＰＵ−Ｃ１１５が外部機器との通信を遮断する際には、コネクタ−Ｃ１２１、ＵＳＢケーブル、およびＡＶケーブルに対して電流を遮断することにより出力信号を遮断するものとしたが、電流は遮断しないで信号が乗らないように制御してもよい。この場合、ＣＰＵ−Ｃ１１５は、外部インターフェース（Ｉ／Ｆ）１１７、ＡＶ出力端子１１８およびコネクタ−Ｃ１２１に対する信号の出力を停止すればよい。
【００８３】
（３）外部機器として、電子カメラ１にパーソナルコンピュータとテレビモニタとを同時に接続した場合においても、パーソナルコンピュータを接続した場合とテレビモニタを接続した場合と同様に動作させる。
【００８４】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００８５】
【図１】本発明の実施の形態による電子カメラおよび電子カメラが接続されたプリンタの外観を説明する斜視図である。
【図２】実施の形態による電子カメラおよび電子カメラに接続されたプリンタの要部構成を説明するブロック図である。
【図３】電子カメラと外部機器との接続関係を説明する図である。
【図４】電子カメラの動作を説明するフローチャートである。
【図５】電子カメラの動作を説明するフローチャートである。
【図６】電子カメラの動作を説明するフローチャートである。
【符号の説明】
【００８６】
１      電子カメラ                      １０１  メイン液晶表示器
１１５  ＣＰＵ−Ｃ                      １１７  外部インターフェース（Ｉ／Ｆ）
１１８  ＡＶ出力端子                    １２１  コネクタ−Ｃ
２      プリンタ                        ２０２  コネクタ−Ｐ
３      パーソナルコンピュータ          ４，５  テレビモニタ
【図１】
2008199150.tif 000003
【図２】
2008199150.tif 000004
【図３】
2008199150.tif 000005
【図４】
2008199150.tif 000006
【図５】
2008199150.tif 000007
【図６】
2008199150.tif 000008